(57)【要約】      （修正有）【課題】低コストで効率よく足元を温めることができる足元ヒーターを提供する。【解決手段】本体部と、足元を挿入するための開口部２が前面に形成された足元挿入部３とを有し、足元挿入部３は、左右の側壁部２０と、この側壁部２０の奥側に位置する奥壁部２１と、左右の側壁部２０の上部に位置する天壁部２２と、により構成されており、天壁部２２側の本体部内部に、ヒーター６とファン７を配置し、天壁部２２に温風を送出するための送風口５を設けたことを特徴とする。【選択図】図４
0003208717.tif 000002
【実用新案登録請求の範囲】
【請求項１】
本体部と、足元を挿入するための開口部が前面に形成された足元挿入部とを有し、
前記足元挿入部は、左右の側壁部と、この側壁部の奥側に位置する奥壁部と、左右の側壁部の上部に位置する天壁部と、により構成されており、
前記天壁部側の本体部内部に、ヒーターとファンを配置し、天壁部に温風を送出するための温風送出部を設けたことを特徴とする足元ヒーター。
【請求項２】
前記温風送出部の左右両側に吸気孔を配置したことを特徴とする請求項１に記載の足元ヒーター。
【請求項３】
前記本体部の上部に取っ手を設けたことを特徴とする請求項１又は２に記載の足元ヒーター。
【考案の詳細な説明】
【技術分野】
【０００１】
本考案は、足元を温めることが可能な足元ヒーターに関する。
【背景技術】
【０００２】
冬場になると部屋を暖めるためにエアコンを使用することは一般的であるが、特に、足元を温めたいという場合がある。例えば、机に向かって作業をする場合や、ソファに座ってくつろぐ場合に、部屋の環境によっては足元が冷えてくることがある。そのような場合に、足元を温めるための暖房器具として、特許文献１，２に開示されるヒーターが知られている。
【先行技術文献】
【特許文献】
【０００３】
【特許文献１】特開２００１−４１５８８号公報
【特許文献２】特開平１１−１７３５５４号公報
【考案の概要】
【考案が解決しようとする課題】
【０００４】
特許文献１に開示される足元ヒーターは、机の脚収容空間の上方に取付可能であり、光照射開口が形成されたケーシング内に、赤外線を放射する管形のヒータランプおよび反射鏡が配置されるものである。
【０００５】
しかしながら、赤外線を放射する空間が開放されているため、効率よく足元を温めることができない。
【０００６】
特許文献２に開示されるヒーターは、複数枚の発熱体をコ字状に並設しその上面開口部を覆うように布地で形成した着脱自在のカバーとで構成されており、閉鎖された空間を温めるようにしており、暖房効率を向上させている。
【０００７】
しかしながら、コ字状の面のすべてに発熱体を配置しており、コストの面で課題がある。
【０００８】
本考案は上記実情に鑑みてなされたものであり、その課題は、低コストで効率よく足元を温めることができる足元ヒーターを提供することである。
【課題を解決するための手段】
【０００９】
上記課題を解決するため本考案に係る足元ヒーターは、
本体部と、足元を挿入するための開口部が前面に形成された足元挿入部とを有し、
前記足元挿入部は、左右の側壁部と、この側壁部の奥側に位置する奥壁部と、左右の側壁部の上部に位置する天壁部と、により構成されており、
前記天壁部側の本体部内部に、ヒーターとファンを配置し、天壁部に温風を送出するための温風送出部を設けたことを特徴とするものである。
【００１０】
かかる構成による足元ヒーターの作用・効果を説明する。この足元ヒーターは、足元を挿入するための開口部が前面に形成された足元挿入部を備えており、この足元挿入部は、左右の側壁部、奥壁部、天壁部により包囲された閉鎖された空間になっている。従って、熱を効率よく足元に与えることができる。また、ヒーターは、天壁部側にのみ配置し、ファンにより温風を足元挿入部に供給する。従って、足元挿入部内に効率よく温風を供給し、足元を温めることができる。その結果、低コストで効率よく足元を温めることができる足元ヒーターを提供することができる。
【００１１】
本考案において、前記温風送出部の左右両側に吸気孔を配置したことが好ましい。これにより、ファンにより吸気孔から空気を吸い込み、ヒーターへ向けて送風することができる。左右両側に吸気孔を配置することで、ヒーター及びファンに近い位置に吸気孔を配置することができ、部品配置を適切に行うと共に吸気効率も高めることができる。
【００１２】
本発明において、前記本体部の上部に取っ手を設けたことが好ましい。この構成によると、好きな場所に持ち運びできるので、使い勝手の良い足元ヒーターとすることができる。
【図面の簡単な説明】
【００１３】
【図１】足元ヒーターの外観斜視図
【図２】足元ヒーターの正面図
【図３】足元ヒーターの底面図
【図４】足元ヒーターの縦断面図
【図５】足元ヒーターの横断面図
【考案を実施するための形態】
【００１４】
本考案に係る足元ヒーターの好適な実施形態を図面を用いて説明する。図１は、本発明に係る足元ヒーターの外観斜視図である。図２は、図１に示す足元ヒーターの外観正面図である。図３は、図１に示す足元ヒーターの底面図である。図４は、足元ヒーターの内部構造を示す縦断面図であり、図２のＡ−Ａ断面図である。図５は、足元ヒーターの内部構造を示す横断面図である。
【００１５】
図１等に示すように、本体部１は、前面側に開口部２を備えている。この開口部２は、足元を挿入するためのものであり、内部に足元を挿入するための足元挿入部３が設けられている。開口部２の側から見ると、図２に示すように、本体部１は、門型に形成されている。
【００１６】
足元挿入部３は、左右に設けられた側壁部２０と、左右の側壁部２０の奥側に設けられた奥壁部２１と、左右の側壁部２０の上部に設けられた天壁部２２により囲まれている。従って、足元挿入部３は、本体部１を載置面に載置したときに、前方の開口部２のみが開放されており、その他は閉鎖された空間を形成する。
【００１７】
図２にも示すように、側壁部２０は完全な垂直ではなく、若干のテーパを有している。図４にも示すように、奥壁部２１も同様に若干のテーパを有している。
【００１８】
図３に示すように、天壁部２２には、中央に送風口５（温風送出部に相当）が配置され、この送風口５の左右両側に吸気孔４が配置されている。
【００１９】
図４、図５に示すように、送風口５のすぐ上に、セラミックヒーター６とファン７が配置されている。送風口５は、テーパ面５ａを有しており、温風を足元挿入部３の全域に効率よく供給できるようにしている。ファン７は、吸気孔４を介して空気を吸入し、ヒーター６側に送風する。従って、ヒーター６により加熱された温風を足元挿入部３に供給することができる。
【００２０】
本体部１の上面には取っ手８が設けられており、自由に持ち運ぶことができる。図４に示すように、取っ手８の下には凹部８ａが設けられており、手を挿入しやすくしている。
【００２１】
また正面から見て右側の側面には電源スイッチ９が設けられている。この電源スイッチ９を入れることで、ヒーター６とファン７が駆動され、温風で足元を温めることができる。
【００２２】
本考案に係る足元ヒーターは、机やテーブルの下において使用することができ、足元を効率よく温めることができる。また、ヒーター６は天壁部側にのみ配置されており、側壁部側に配置していない。ファン７を設けることで、側壁部２０側にヒーター６を設けなくても、足元挿入部３の全域に温風を供給することが可能である。
【００２３】
＜別実施形態＞
本考案に係る足元ヒーターは、本実施形態の構成に限定されるものではなく、種々の変形例が可能である。例えば、天壁部における、吸気孔の配置や個数、大きさは適宜変更することができる。
【符号の説明】
【００２４】
１        本体部
２        開口部
２０      側壁部
２１      奥壁部
２２      天壁部
３        足元挿入部
４        吸気孔
５        送風口
６        セラミックヒーター
７        ファン
８        取っ手
【図１】
0003208717.tif 000003
【図２】
0003208717.tif 000004
【図３】
0003208717.tif 000005
【図４】
0003208717.tif 000006
【図５】
0003208717.tif 000007